(57)【要約】      （修正有）【課題】振動体を有する音響装置を評価できる測定システムを提供する。【解決手段】人体の耳を模した耳模型５１、及び耳模型に連なる人工外耳道部５２、並びに前記人工外耳道部の周囲を囲む筒状部を備えた耳型部５０と、前記耳型部の内部で生じた気導音を測定するマイク５８と、を備える。【選択図】図１
2015082837.tif 000002
【特許請求の範囲】
【請求項１】
振動素子を備え、振動により音を聞かせる音響装置を評価するための測定システムであって、
人体の耳を模した耳模型、及び耳模型に連なる人工外耳道部、並びに前記人工外耳道部の周囲を囲む筒状部を備えた耳型部と、
前記耳型部の内部で生じた気導音を測定するマイクと、を備える測定システム。
【請求項２】
前記マイクは、前記人工外耳道部の終端に配置される請求項１に記載の測定システム。
【請求項３】
前記マイクは、プローブマイクである請求項１または請求項２に記載の測定システム。
【請求項４】
前記マイクは、音響装置が発した気導成分と、前記人工外耳道部から発生した気導成分とを併せて測定する請求項１乃至請求項３のいずれかに記載の測定システム。
【請求項５】
前記人工外耳道部は、前記筒状部と接合されている請求項１に記載の測定システム。
【請求項６】
前記人工外耳道部は、前記筒状部と接合されていない請求項１に記載の測定システム。
【請求項７】
前記人工外耳道部は、ショア硬度２０から６０の硬さである請求項１乃至請求項６のいずれかに記載の測定システム。
【請求項８】
耳型部は、耳模型に埋設される人工軟骨部をさらに備え、
前記人工軟骨部は、前記耳模型における耳珠に相当する位置に存在する請求項１乃至請求項７のいずれかに記載の測定システム。
【請求項９】
前記人工軟骨部は、前記筒状部と対向する位置に配置されている請求項８に記載の測定システム。
【請求項１０】
人体の頭部模型をさらに備え、前記耳型部は、前記頭部模型に取り付けられる、請求項１乃至請求項９のいずれかに記載の測定システム。
【請求項１１】
基台をさらに備え、前記耳型部は、前記基台に取り付けられる、請求項１乃至請求項１０のいずれかに記載の測定システム。
【請求項１２】
前記耳模型は、音響装置を保持可能な保持部を備える、請求項１乃至請求項１１のいずれかに記載の測定システム。
【請求項１３】
前記頭部模型は、音響装置を保持可能な保持部を備える、請求項１０に記載の測定システム。
【請求項１４】
前記耳型部は、ＩＥＣ６０３１８−７に準拠した素材からなる部位を含む請求項１乃至請求項１３のいずれかに記載の測定システム。
【請求項１５】
振動素子を備え、振動伝達により音を聞かせる音響装置を測定するための方法であって、
人体の耳を模した耳模型、及び該耳模型に接する人工外耳道部、並びに前記人工外耳道部の周囲を囲む筒状部を備えた耳型部に、前記音響装置を当接させるステップと、
前記音響装置から試験音を発生させるステップと、
前記耳型部の前記人工外耳道部に配置されたマイクにより気導音を検出するステップと、を経る測定方法。
【請求項１６】
耳模型と、人工外耳道部と、当該耳模型に接した或いは埋設された筒状部と、を備える耳型部。
【請求項１７】
請求項１６に記載の耳型部と、人体の頭部模型とを備えた人工頭部。
【発明の詳細な説明】
【技術分野】
【０００１】
本発明は、振動体を有する音響装置を人体の耳内部に収容させて、或いは耳に押し当てて振動伝達により音を聞かせる携帯電話機やイヤホン、ヘッドホン等の音響装置を評価するための測定システム等に関するものである。
【背景技術】
【０００２】
特許文献１には、携帯電話などの音響装置として、気導音と骨導音とを利用者に伝えるものが記載されている。また特許文献１には、気導音とは、物体の振動に起因する空気の振動が外耳道を通って鼓膜に伝わり、鼓膜が振動することによって利用者の聴覚神経に伝わる音であることが記載されている。また、特許文献１には、骨導音とは、振動する物体に接触する利用者の体の一部（例えば外耳の軟骨）を介して利用者の聴覚神経に伝わる音であることが記載されている。
【０００３】
特許文献１に記載された電話機では、圧電バイモルフ及び可撓性物質からなる短形板状の振動体が、筐体の外面に弾性部材を介して取り付けられる旨が記載されている。また、特許文献１には、この振動体の圧電バイモルフに電圧が印加されると、圧電材料が長手方向に伸縮することにより振動体が屈曲振動し、利用者が耳介に振動体を接触させると、気導音と骨導音とが利用者に伝えられることが記載されている。
【０００４】
そして、このような伝達原理により音を伝えるものとして、手にもって、耳に押し付けて音を伝える電話機以外にも、人体の頭部のどこかに引っ掛けて保持されて使用されるイヤホンやヘッドホンが考えられる。
【先行技術文献】
【特許文献】
【０００５】
【特許文献１】特開２００５−３４８１９３号公報
【発明の概要】
【発明が解決しようとする課題】
【０００６】
そして、発明者は、上述した電話機や耳を含む人体の頭部のどこかに保持されて使用されるイヤホンやヘッドホン等の、外耳の軟骨を介しての骨導音を利用者に伝える音響装置を評価するには、振動体の振動によって人体の聴覚神経に近似的に作用する振動量を測定する必要があるとの認識に至った。
【０００７】
本発明は、上述した認識に鑑みてなされたもので、振動体を有する音響装置を評価できる測定システム及び測定方法やこれらに用いることが可能な各種部材等を提供することを目的とするものである。
【課題を解決するための手段】
【０００８】
本発明の測定システムは、人体の耳を模した耳模型、及び耳模型に連なる人工外耳道部、並びに前記人工外耳道部の周囲を囲む筒状部を備えた耳型部と、前記耳型部の内部で生じた気導音を測定するマイクと、を備える。
【発明の効果】
【０００９】
本発明によれば、振動体を有する各種の音響装置や補聴器等を評価することが可能となる。
【図面の簡単な説明】
【００１０】
【図１】本発明の第１実施の形態に係る測定システムの概略構成を示す断面図である。
【図２】測定対象の一例であるイヤホンを示す断面図である。
【図３】耳模型の断面図および平面図である。
【図４】耳模型及び人工軟骨部の平面図である。
【図５】人工側頭骨部の断面図および平面図である。
【図６】図１の測定システムの要部の機能ブロック図である。
【図７】本発明の第２実施の形態に係る測定システムの概略構成を示す図である。
【図８】本発明の第３実施の形態に係る人工側頭骨部の断面図および平面図である。
【発明を実施するための形態】
【００１１】
以下、本発明の実施の形態について、図を参照して説明する。
【００１２】
（第１実施の形態）
図１は、本発明の第１実施の形態に係る測定システムの概略構成を示す図である。本実施の形態に係る測定システム１０は、基台３０に支持された耳型部５０を備える。なお、以下の説明において、一例としての軟骨伝導型のイヤホンを音響装置１００の一例として示している。音響装置１００は、図２に示すように、人の耳の穴に埋入させる筐体１０１を有し、当該筺体１０１の内部に圧電素子１０２を備え、当該圧電素子１０２により筺体１０１を振動させるものである。さらに人の耳に当接する部位にゴム材１０３からな保護膜を設けている。ゴム材１０３は、外部からの摩擦や衝撃等を緩和するためのもので必須ではない。従って、振動伝達を阻害しにくいように膜状の物でよい。あるいは、アクリル樹脂等からなり、圧電素子１０２を覆う板状の被覆部材でもよい。
【００１３】
次に、本発明の測定システムに係る耳型部５０について説明する。
【００１４】
図１に示すように、耳型部５０は、人工外耳道部５２の周辺部において、基台３０に支持されている。ここで、耳型部５０は、基台３０に対して着脱自在としてもよい。あるいは、接着樹脂や両面テープで固定されていてもよい。
【００１５】
耳型部５０は、人の耳を模したもので、耳模型５１と、該耳模型５１に結合された或いは一体に形成された人工外耳道部５２と、耳模型５１の内部に埋設された人工軟骨部５４と、人工外耳道部５２の周囲を取り囲むように配置された人工側頭骨部５７とを備える。
【００１６】
耳模型５１は、人体の外耳の軟部組織（軟骨組織を除く）を模擬している。耳の形状をした部位と、当該耳の形状をした部位を覆う大きさを有し、中央部に孔が形成された部位とからなる。当該孔は、後述する筒状の人工外耳道部５２に形成された音道と接続されて人工外耳道５３を構成する。
【００１７】
耳模型５１は、例えば人体模型のＨＡＴＳ（Head And Torso Simulator）やＫＥＭＡＲ（Knowles Electronics社の音響研究用の電子マネキン名：商標）等に使用される平均的な耳模型の形状と概ね同様の形状からなっていてもよい。耳模型５１は、例えば、ＩＥＣ６０３１８−７に準拠した素材を構成する物質からなっていてもよい。この素材は、例えばショア硬度３０から６０（例えばショア硬度３５やショア硬度５５）のシリコーンゴム等で形成することができる。尚、本実施例では人工軟骨部５４を備えることから、耳模型５１に人工軟骨部５４が埋設された後の硬さを、例えば人工軟骨部５４を有しない従来からあるショア硬度３５やショア硬度５５の素材からなる耳模型の硬さと同じ程度とするために、耳模型５１の素材自体は、例えばショア硬度３５よりも軟らかい素材、例えばショア硬度２０から３０の素材を用いてもよい。尚、耳模型５１には、図５に示すように、耳珠や対耳珠、耳輪等が形成されていてもよい。
【００１８】
人工外耳道部５２は、耳模型５２に設けられた孔に接続されて、音響装置とは逆側に向かって筒状に延在している。人工外耳道部５２は、例えばショア硬度２０から６０程度の硬さを持ち、耳模型と同じ物質から構成される。例えばシリコーンゴムや天然ゴム等の軟質の物質であってもよい。
【００１９】
人工外耳道部５２は、その壁面の厚みが薄すぎると加工が困難であり、厚すぎると、音響装置１００からの振動伝達による外耳道の音響放射成分（外耳道の内壁が振動して外耳道内の空気を振動させることにより鼓膜に伝達されるため、気導音として検出される成分）を忠実に模擬できない恐れがある。そこで、たとえば０．３ｍｍから２ｍｍ程度の厚みが好ましい。また、その直径(内径)は、例えば３ｍｍから１５ｍ程度であればよい。人工外耳道部５２は、もちろん耳模型５１と一体的に金型や３Ｄプリンタ等により製造されてもよい。また、材料樹脂を流す際の金型の形状が複雑になる場合、別部材としてそれぞれを製造して、後に互いを接着剤等により接合してもよい。接着剤は、耳模型５１および人工外耳道部５２の素材を勘案して、同じ組成を含む接着剤が好まれる。例えば耳模型５１や人工外耳道部５２がシリコーンゴムの場合、接着剤もシリコーン系接着剤であることが好ましい。なお、図３において、人工外耳道部５２は断面が矩形の筒状を成しているが、矩形に限られない。
【００２０】
人工外耳道５３の長さ、つまり耳模型５１に設けられた開口から人工外耳道部５２の終端部までの長さは、人の耳の穴の開口から鼓膜（蝸牛）までの長さに相当するものであれば好適で、例えば１０ｍｍから４０ｍｍの範囲で適宜設定される。例えば人工外耳道５３の長さはほぼ３０ｍｍである。
【００２１】
さらに、人工外耳道部５２には、その終端の位置にプローブマイク用の挿入孔５２ｚが設けられている。この挿入孔５２ｚから挿入されたマイク５８により、気導音と、外耳道の内壁が外耳道内の空気を振動させて生じる放射成分と、を併せて測定することができる。
【００２２】
図４に示すように、耳模型５１の内部には、人工軟骨部５４が埋設されている。人工軟骨部５４は、人の耳の軟骨を模擬したものである。人工軟骨部５４は、耳模型の形状を維持するとともに、音響装置１００からの振動の伝達をより忠実に再現するのに好適である。人工軟骨部５４は、例えば、ＰＥＴ（ポリエチレンテレフタレート）、天然ゴム、或いは薄く成型したポリ塩化ビニル等のプラスティックや、生体材料である乳酸ポリマーやエラスチン等で作製してもよい。そして上述したように、人工軟骨部５４の素材や厚み等は、人工軟骨部５４を耳模型５１に埋入したのちの複合体として、従来周知のショア硬度３５やショア硬度５５の素材からなる耳模型と同じ程度の曲げ強度を有するように調整される。
【００２３】
また、好ましくは、耳への当てつけ方の異なる色々なタイプの音響装置に対応できるように、図４に示すように、人工軟骨部５４は、耳珠、対耳珠、対耳輪、対耳輪下脚、対耳輪上脚、耳輪、耳輪脚に相当する部位に存在していることが好ましい。
【００２４】
尚、音響装置のうち、特定のタイプを測定することだけを念頭に置いているのであれば、当該タイプに対応した必須の部位だけに人工軟骨部５４があればよい。例えば耳珠だけ、或いは耳珠と対耳珠だけに人工軟骨部５４を存在させることも可能である。３Ｄプリンタにより作製された乳酸ポリマーの軟骨の形状をした型枠の内部で、実際の人体や牛、羊等から採取した軟骨細胞を培養することにより得られた人工軟骨を用いてもよい。
【００２５】
図５に示すように、人工側頭骨部５７は、大まかには、耳模型５１の内部に埋設される埋設部５７ｘと、埋設部５７ｘに接続され、人工外耳道部５２の外側の周囲を取り囲む例えば円筒状の筒状部５７ｙとから構成されている。尚、埋設部５７ｘと筒状部５７ｙとが一体的に形成されていてもよいし、別体で作製したものを接続してもよい。
【００２６】
埋設部５７ｘは、人体における側頭骨の鱗部、外耳孔、岩様部、頬骨突起、乳様突起を備えた側頭骨同様の広い面積を有してもよい。尚、例えば、音響機器として、骨伝導タイプのイヤホンだけを測定対象としたい場合等は、外耳孔とその周囲だけとしてもよい。
【００２７】
埋設部５７ｘは、主として例えば一枚の板状体を用いている。人体の側頭骨は、実際には、乳様突起や、複雑な形状の鼓室部、頬骨突起等があるが、すべての形状を忠実に模擬してはいない。しかしながら、タッチパネル全体を振動させて、気導音と振動による音とを伝えるスマートフォン等の使用時に、（もちろん皮膚を通して）耳介軟骨と頬骨突起に同時に接触する場合を想定すると、幅広く振動する成分を拾うことができるように、人工側頭骨部５７を外耳孔やその周囲だけでなく、幅広く覆うように設けていることには意義がある。尚、この埋設部５７ｘには、耳模型５１に埋設された人工軟骨部５４に生じた振動が間接的に伝達されるように成している。これにより、耳介の軟部組織から耳介軟骨、さらに側頭骨（外耳孔）を経て、蝸牛へと伝達される振動成分や、皮膚等の軟部組織から側頭骨の外表面側（例えば乳様突起や頬骨突起）から外耳孔を経て、内耳へと伝達される振動成分を疑似的に再現することができる。
【００２８】
さらに、人工側頭骨部５７は、筒状部５７ｙを備えている。筒状部５７ｙは、人体の外耳孔を簡略的に模擬している。筒状部５７ｙは、人工外耳道部５２の外周を取り囲む有底の円筒状の部材であり、埋設部５７ｘと外耳孔に相当する部位の周囲において接している。尚、人工側頭骨部５７の筒状部５７ｙは、できる限り人工外耳道部５２と接合されていることが望ましいが、耳模型５１の経年劣化による取り換えを想定すると、必ずしも接合されていなくともよい。筒状部５７ｙは、人工外耳道部５２を内部に収容する長さ、直径を有するとよい。
【００２９】
また、筒状部５７ｙには、その終端の位置にプローブマイク５８を挿入するための挿入孔５７ｚが設けられている。この挿入孔５７ｚは、人工外耳道部５２の挿入口５２ｚと連通している。
【００３０】
ここで、人工側頭骨部５７は、例えばＳＵＳやアルミ等の金属材料、或いはポリカーボネート樹脂やアクリル樹脂等の硬質樹脂材料からなっていてもよい。さらに、これらの材料の片側の主面に、多孔質層を設けてもよい。多孔質層としては、例えば大成プラス株式会社のミクロベント（商標）と呼ばれる多孔質プラスティック成型技術を用いてもよい。例えば、表面が平滑なポリカーボネート製の人工側頭骨の表面部分に、多孔質プラスティックを一体成型することにより、人体の側頭骨に近づけてもよい。
【００３１】
もちろん高価であるがハイドロキシアパタイト等の生体に近い材料により構成されてもよいことは言うまでもない。そのような材料であれば、振動特性が人骨に近いことが考えられ、測定値の校正の程度を小さくすることができる。
【００３２】
厚みは材質により異なるが、例えば上記金属材料の場合、その厚みが０．１ｍｍから１ｍｍ程度、硬質樹脂材料では、その厚みが２ｍｍから５ｍｍ程度であればよい。人工側頭骨部５７は、耳模型５１の耳本体全体を覆う程度の面積を有し、耳模型の保持を容易とする。例えば、縦・横共に２．５ｃｍから６ｃｍ程度である。人工側頭骨部５７は、上述の耳模型５１および人工外耳道部５２と部分的に接合されており、このため、人工側頭骨部５７には人工外耳道部５２或いは耳模型５１からの振動が伝播される。
【００３３】
耳型部５０には、人工側頭骨部５７の筒状部５７ｙの底部の外側に振動検出部５５が配置されている。振動検出部５５は、例えば、圧電式加速度ピックアップ等の振動検出素子５６を備える。図１では、人工側頭骨部５７の筒状部５７ｙの終端部に、例えばチップ状の振動検出素子５６を配置した場合を例示している。振動検出素子５６は、１個であってもよい。複数個の振動検出素子５６を配置する場合は、筒状部５７ｙの終端部に適時の間隔で配置してもよい。ここで振動検出素子５６やプローブマイク５８等のリード線は、図示していない。尚、振動検出素子５６は、接着剤等により人工側頭骨部５７に貼り付けられる。あるいは、振動検出素子５６は、筒状部の底部と接する検出面とは逆側を、テープ材により固定されてもよい。
【００３４】
人工側頭骨部５７に配置された振動検出素子５６は、耳介軟骨から側頭骨を経て伝導される振動、頬の軟部組織から頬骨を経て伝導される振動、外耳孔の周囲に音響装置の振動部をあてがった場合に生じ、外耳孔を構成する骨を経て伝達される振動等のいずれか或いは全てを検出することができる。
【００３５】
また振動検出素子５６は、例えば、小野測器社製の超小型軽量タイプのＮＰ−２１０６や、リオン株式会社製のＰＶ−０８Ａ、ＰＶ−９０Ｂ等、市販のものを適宜選択すればよい。また、株式会社アコー社製のＴＹＰＥ７３０２のように、０．２ｇ程度の振動検出素子５６は軽量であり、好適である。
【００３６】
人工外耳道部５２の終端部(人の鼓膜に相当する位置)には、プローブマイク５８を備える。マイク５８は、人工外耳道５３を通過した気導音を検出する。さらに、耳模型５１や人工外耳道部５２の内壁が振動することにより、これらの部位で発生した気導放射成分を検出する。
【００３７】
次に、イヤホン等の音響装置１００が保持される保持構造について説明する。図１に示すように、音響装置１００が、振動伝達方式のイヤホンの場合、イヤホンの筺体１０１を部分的にあるいは全部、耳の穴に埋入させる。耳型部５０は、人体の耳の形状を模しており、耳介や外耳道を備えていることから、当該耳介や外耳道にイヤホンを埋入させるとよい。即ち耳模型５１の耳の穴が保持構造として機能する。或いは耳掛け対応の補聴器の場合、耳模型５１の耳介自体が保持構造として機能する。
【００３８】
図６は、本実施の形態に係る測定システム１０の要部の機能ブロック図である。一または複数の振動検出素子５６を備えた振動検出部５５は、信号処理部７５に接続される。信号処理部７５は、振動検出素子５６（のそれぞれ）の出力に基づいて、音響装置１００から人体内部に伝播した振動量を算出する。ここで、従来周知のタッチパネルや押下キー等からなる操作部７７により、いずれの振動検出素子５６からの入力を検出並びに評価したいかを選択するようにしてもよいし、複数の振動検出素子５６の振動量を平均化するようにしてもよい。また、振動処理部７５は、マイク５８の検出信号を処理する。これにより音響装置１００からの気導音及び振動により人体内部で発生した気導音の総和を検出し、評価できる。
【００３９】
尚、信号処理部７５の処理内容としては、たとえば測定信号（純音、純音スイープ、マルチサイン波等）の生成ができてもよい。或いは、イコライジング部やダイナミックレンジコンプレッション部を備えていてもよい。或いは検出された信号の位相調整や合成、高速フーリエ変換等の処理も行うとよい。また、低調波ひずみ或いは高調波ひずみを分析できてもよい。また、出力部７６の出力形態に合わせて種々のファイル形式に変換するようにしてもよい。そして、処理された測定結果は、表示部、プリンタ、記憶部等の出力部７６に出力されて、音響装置１００の評価に供される。
【００４０】
このように、本実施の形態に係る測定システム１０によると、人体の鼓膜における気導音レベルや、人体の耳の振動伝達の特徴が重み付けされた振動レベルを測定することができるので、音響装置１００を正しく評価することができる。
【００４１】
尚、人の軟骨経由の振動伝達に相当する振動レベルが、どの程度の振動検出素子５６による振動検出値に相当する音圧レベルとなるかの相関は、予め測定システムを作製する当初において、従来周知のごとく、実際の多数の被験者による調整法あるいは閾値法等によって、校正することにより得ることができる。特に、振動成分の校正は伝音性難聴者を被見者として採用するとよい。
【００４２】
（第２実施の形態）
図７は、本発明の第２実施の形態に係る測定システムの概略構成を示す図である。本実施の形態に係る測定システム１１０は、人体の頭部模型１３０をさらに備える。耳型部５０や測定系、信号処理系については上述の実施例と同様でよい。頭部模型１３０は、例えばＨＡＴＳやＫＥＭＡＲ等と同様の素材からなってよいが、上述した耳型部５０や、マイクロフォン５８或いは振動検出部５５等の測定系を収容可能なように、頭部内部に比較的大きな空洞を設けてある。頭部模型１３０の耳型部５０は、頭部模型１３０に対して着脱自在である。即ち、耳型部５０の全部または一部を交換パーツとしてもよい。例えば耳模型５１は樹脂製であるため経年劣化により振動特性に変化が生じることがあり、その防止という目的において交換パーツとすることは有効である。
【００４３】
そして、さらに、人体の側頭骨以外の頭蓋骨の各部を備えており、上述の人工側頭骨部５７が頭蓋骨の一部となる。即ち、頬骨や上顎骨、下顎骨等を有し、これらと接合されていてもよい。
【００４４】
本実施の形態に係る測定システム１１０によると、第１実施の形態の測定システム１０と少なくとも同様の効果が得られる。特に、本実施の形態では、人体の頭部模型１３０に、振動検出用の人工耳１３１を着脱自在に装着して音響装置１００を評価するので、頭部の振動伝達の影響が考慮された実際の使用態様により即した評価が可能となる。
【００４５】
なお、本発明は、上記実施の形態にのみ限定されるものではなく、幾多の変形または変更が可能である。例えば、上記実施の形態では、測定対象の音響装置１００として、イヤホン等の音響装置で、圧電振動子１０２が振動して筺体１０１に振動を伝え、当該筺体を介して耳に振動するものを中心に記載したが、スマートフォンのタッチパネルを振動板として用いるものや、人の頭部により保持されたヘッドホンのように耳全体を覆うようにして使用するものや、ヘッドマウントディスプレイに設けられた音響装置によって耳に振動を伝達するもの、或いは眼鏡のつるの部分に振動素子が埋設され、当該つるが振動することにより振動音を伝達させるものであっても、同様に評価することが可能である。
【００４６】
（第３実施の形態）
次に図８を参照して、側頭骨部５７の変形例を示す。本変形例によれば、側頭骨部５７８は、外耳孔、鱗部以外に、頬骨突起、鼓室部、乳様突起、岩様部等を備える。これにより、各部位に音響装置が当接あるいは圧接された場合に生じる振動を検出できる。
【００４７】
これらは、樹脂や金属等によりなる場合、金型による成型等が好適である。あるいは石膏等の型により、作成されてもよい。また、生体適合性のある材料であるハイドロキシアパタイト等のリン酸カルシウムからなっていれば、振動特性の再現性の面で最良である。
【００４８】
（第４実施の形態）
次に、本発明の測定システムを用いた一例にかかる測定方法について、以下に説明する。
【００４９】
例えば下記にかかる測定のステップにより種々の測定ができる。（１）振動素子を備え、振動伝達により音を聞かせる音響装置を測定するための方法であって、人体の耳を模した耳模型、及び該耳模型に接する人工側頭骨部を備えた耳型部に、前記音響装置を当接させるステップ、（２）音響装置から試験音を発生させるステップ、（３）耳型部に配置された振動検出部により振動を検出するステップと、を経る。
さらに、（４）耳型部の人工外耳道部に配置されたマイクにより気導音を検出するステップと、を経てもよい。
【符号の説明】
【００５０】
１０  測定システム
３０  基台
５０  耳型部
５１  耳模型
５２  人工外耳道部
５２ｚ  挿入孔
５３  人工外耳道
５４  人工軟骨部
５５  振動検出部
５６  振動検出素子
５７  人工側頭骨部
５７ｘ  埋設部
５７ｙ  筒状部
５７ｚ  挿入孔
５８  マイク
１００  音響装置
１０１  筐体
１０２  振動素子
１０３  ゴム材
１１０  測定システム
１３０  頭部模型
【図１】
2015082837.tif 000003
【図２】
2015082837.tif 000004
【図３】
2015082837.tif 000005
【図４】
2015082837.tif 000006
【図５】
2015082837.tif 000007
【図６】
2015082837.tif 000008
【図７】
2015082837.tif 000009
【図８】
2015082837.tif 000010
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
振動素子を備え、振動により音を聞かせる音響装置を評価するための測定システムであって、
人体の耳を模した耳模型、及び耳模型に連なる人工外耳道部、並びに前記耳模型における耳珠に相当する位置に存在する人工軟骨部を備えた耳型部と、
前記耳型部の内部で生じた気導音を測定するマイクと、を備える測定システム。
【請求項２】
前記マイクは、前記人工外耳道部の終端に配置される請求項１に記載の測定システム。
【請求項３】
前記マイクは、プローブマイクである請求項１または請求項２に記載の測定システム。
【請求項４】
前記マイクは、音響装置が発した気導成分と、前記人工外耳道部から発生した気導成分とを併せて測定する請求項１乃至請求項３のいずれかに記載の測定システム。
【請求項５】
前記人工外耳道部の周囲を囲む筒状部をさらに備え、
前記人工外耳道部は、前記筒状部と接合されている請求項１に記載の測定システム。
【請求項６】
前記人工外耳道部の周囲を囲む筒状部をさらに備え、
前記人工外耳道部は、前記筒状部と接合されていない請求項１に記載の測定システム。
【請求項７】
前記人工外耳道部は、ショア硬度２０から６０の硬さである請求項１乃至請求項６のいずれかに記載の測定システム。
【請求項８】
前記人工軟骨部は、さらに対耳珠、対耳輪、対耳輪下脚、対耳輪上脚、耳輪、耳輪脚のいずれかに位置する箇所にも存在するあ請求項１乃至請求項７のいずれかに記載の測定システム。
【請求項９】
前記人工外耳道部の周囲を囲む筒状部をさらに備え、
前記人工軟骨部は、前記筒状部と対向する位置に配置されている請求項１から８のいずれかに記載の測定システム。
【請求項１０】
人体の頭部模型をさらに備え、前記耳型部は、前記頭部模型に取り付けられる、請求項１乃至請求項９のいずれかに記載の測定システム。
【請求項１１】
基台をさらに備え、前記耳型部は、前記基台に取り付けられる、請求項１乃至請求項１０のいずれかに記載の測定システム。
【請求項１２】
前記耳模型は、音響装置を保持可能な保持部を備える、請求項１乃至請求項１１のいずれかに記載の測定システム。
【請求項１３】
前記頭部模型は、音響装置を保持可能な保持部を備える、請求項１０に記載の測定システム。
【請求項１４】
前記耳型部は、ＩＥＣ６０３１８−７に準拠した素材からなる部位を含む請求項１乃至請求項１３のいずれかに記載の測定システム。
【請求項１５】
振動素子を備え、振動伝達により音を聞かせる音響装置を測定するための方法であって、
人体の耳を模した耳模型、及び該耳模型に接する人工外耳道部、並びに前記耳模型における耳珠に相当する位置に存在する人工軟骨部を備えた耳型部に、前記音響装置を当接させるステップと、
前記音響装置から試験音を発生させるステップと、
前記耳型部の前記人工外耳道部に配置されたマイクにより気導音を検出するステップと
、を経る測定方法。
【請求項１６】
耳模型と、人工外耳道部と、当該耳模型に埋設された人工軟骨部と、を備える耳型部。
【請求項１７】
請求項１６に記載の耳型部と、人体の頭部模型とを備えた人工頭部。
【手続補正２】
【補正対象書類名】明細書
【補正対象項目名】０００８
【補正方法】変更
【補正の内容】
【０００８】
本発明は、振動素子を備え、振動により音を聞かせる音響装置を評価するための測定システムであって、人体の耳を模した耳模型、及び耳模型に連なる人工外耳道部、並びに耳模型における耳珠に相当する位置に存在する人工軟骨部を備えた耳型部と、耳型部の内部で生じた気導音を測定するマイクと、を備える。